(57)【要約】【課題】  ボタン電話装置やＰＢＸ等の複数の内線を収容する電話システムにおいて、特定番号からの着信を優先的に応答可能にすると共に、特定番号からの着信中でも他の着信に対して応答可能にする。【解決手段】  １以上の外線および複数の内線を収容するボタン電話主装置の中央制御部１１に、着信時に発番号を分析する特定番号分析処理手段Ｆ３３を備え、特定番号からの着信時は着信状態表示処理手段Ｆ３４により特定番号の着信状態を表示させ、前記優先着信に対して応答可能であると共に、優先着信表示中でもボタン電話機に具備された外線キー等を押下することにより、着信状態表示手段Ｆ３４により押下したキーに対応した着信状態に移行させ、優先着信以外の外線着信に対しても応答可能にした。【選択図】  図２
2007142760.tif 000002
【特許請求の範囲】
【請求項１】
１以上の外線および複数の内線を収容する主装置と、内線に接続される複数の内線電話機とからなる電話システムにおいて、前記主装置は、優先着信対象の特定番号を記憶する特定番号記憶手段と、着信時に相手番号が前記特定番号記憶手段に記憶されている特定番号か否かを分析する特定番号分析処理手段を具備し、前記内線電話機は、着信情報を示す着信表示手段または着信鳴動手段を具備し、着信が前記特定番号からの着信であった場合、前記着信表示手段または着信鳴動手段は前記特定番号以外からの着信中であっても前記特定番号に対応した表示または鳴動パターンにより優先着信表示すると共に、前記優先着信表示中であっても前記内線電話機の所定のキー操作により外線または内線に着信中の前記特定番号以外の着信情報を表示し、該内線電話機をオフフック操作した時は表示中の着信情報に対応した着信に応答することを特徴とする優先着信機能を有する電話システム。
【請求項２】
請求項１において、前記内線電話機毎に前記優先着信を有効または無効とする優先着信設定手段、または時間帯や曜日等の実行条件を伴う条件付優先着信設定手段を、さらに備えたことを特徴とする優先着信機能を有する電話システム。
【請求項３】
請求項１または２において、前記特定番号毎に対応する内線電話機を指定する電話機毎優先着信分析処理手段を、さらに備えたことを特徴とする優先着信機能を有する電話システム。
【発明の詳細な説明】
【技術分野】
【０００１】
本発明は、１以上の外線および複数の内線を収容する主装置と、前記内線に接続される複数の内線電話機とからなるボタン電話装置や構内交換機に関し、外線着信時に特定の発信者の発番号を優先的に着信させ応答する機能（以下「優先着信」と称す）を可能とする電話システムに関する。
【背景技術】
【０００２】
ボタン電話装置や構内交換機においては複数の外線および内線からの着信が同時に可能であるが、ダイヤルイン着信を除くと、一般的には先に着信した呼に対して着信表示および応答操作を行うため、着信呼が多く発生しているときは重要顧客等からの着信に対する応答が後回しになることがあった。
【０００３】
そこで、着信時に発番号を受信可能で複数の着呼が同時に可能な端末もしくは構内交換機において、予め特定番号を登録・記録しておき、着信時に受信する発番号と特定番号とを照合し、該照合結果により応答の優先順位を変えることを特徴とする応答順序選択方式がある（例えば、特許文献１）。
【０００４】
【特許文献１】特開平０２−０９０８５１号公報
【発明の開示】
【発明が解決しようとする課題】
【０００５】
しかしながら、上述した応答順序選択方式において優先着信を行う特定番号を設定した場合、特定番号からの着信があった場合は必ず特定番号からの着信に対して応答してしまうため、特定番号に登録していない相手からの着信を待っているときには不都合となる。
【０００６】
また、構内交換機やボタン電話の主装置に優先着信を行う特定番号を設定した場合、内線に接続される全ての電話機が特定番号の着信に対して応答してしまうため、複数の部署で利用する構内交換機やボタン電話システムでは不必要な優先着信が発生するという欠点があった。
【課題を解決するための手段】
【０００７】
上記課題を解決するために、第１の発明は、１以上の外線および複数の内線を収容する主装置と、内線に接続される複数の内線電話機とからなる電話システムにおいて、前記主装置は、優先着信対象の特定番号を記憶する特定番号記憶手段と、着信時に相手番号が前記特定番号記憶手段に記憶されている特定番号か否かを分析する特定番号分析処理手段を具備し、前記内線電話機は、着信情報を示す着信表示手段または着信鳴動手段を具備し、着信が前記特定番号からの着信であった場合、前記着信表示手段または着信鳴動手段は前記特定番号以外からの着信中であっても前記特定番号に対応した表示または鳴動パターンにより優先着信表示すると共に、前記優先着信表示中であっても前記内線電話機の所定のキー操作により外線または内線に着信中の前記特定番号以外の着信情報を表示し、該内線電話機をオフフック操作した時は表示中の着信情報に対応した着信に応答することを特徴とする。
【０００８】
また、第２の発明は、前記内線電話機毎に前記優先着信を有効または無効とする優先着信設定手段、または時間帯や曜日等の実行条件を伴う条件付優先着信設定手段を、さらに備えたことを特徴とする。
【０００９】
また、第３の発明は、前記特定番号毎に対応する内線電話機を指定する電話機毎優先着信分析処理手段を、さらに備えたことを特徴とする。
【発明の効果】
【００１０】
本発明の優先着信機能は、２つ以上の着信があり、先に着信した相手の発番号が優先順位的に低かった場合に、優先順位の高い着信から発番号や名称等を電話機の表示器に表示すると共に優先着信を示す所定の鳴動パターンまたはメロディ等で着信鳴動させ、重要な着信を視覚的かつ聴覚的に確認可能であり、優先順位の高い着信に即座に応答ができるという利点がある。
【００１１】
しかも、優先順位的に低い着信または優先着信以外の一般着信に対しても、外線キーや内線キーを押下または所定のダイヤル操作をすると、着信中の優先順位の低いまたは優先着信以外の着信相手番号や名称等を電話機の表示器に表示することができる。これにより、別の着信相手を確認し、優先着信している相手以外の着信に対して先に応答することも可能となる。
【００１２】
また、内線電話機毎に優先着信の有無を設定することにより、優先着信を必要としない内線電話機は従来通りの使用も可能となる。
【００１３】
更に、優先着信対象特定番号毎に優先着信を適用する電話機を設定することにより、複数の部署で使用するシステムの場合、各部署で必要な優先着信対象特定番号に対してのみ優先着信させることが可能となる。
【発明を実施するための最良の形態】
【００１４】
以下、本発明の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができ、優先着信と優先着信に対する応答操作のみであれば、単独電話機を用いることもできる。また、ボタン電話装置ではなく構内交換機で実施しても良い。
【００１５】
図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の中央制御部１１内の着信表示処理に関するフローチャートである。図４は、本発明に係るボタン電話主装置１０の中央制御部１１内の電話機応答処理に関するフローチャートである。
【００１６】
まず、図１を用いてボタン電話装置を構成するボタン電話主装置１０と、ボタン電話機２０の構成の概要を説明する。ボタン電話装置は、１以上の外線および複数の内線を収容するボタン電話主装置１０と、該ボタン電話主装置１０に接続された複数のボタン電話機２０−１〜２０−ｎから構成される。
【００１７】
ボタン電話主装置１０は、中央制御部１１と、通話路スイッチ１２と、１以上の外線回路１３−１〜１３−ｎと、複数の内線回路１４−１〜１４−ｎと、発番号受信部１５と、記憶部１６とを有して構成される。
【００１８】
中央制御部１１は、ボタン電話主装置１０の各回路からの入力情報（ボタン電話機２０からの情報も含む）に対する解析や判断、記憶部１１に対する情報の入出力、各回路の制御を行う。
【００１９】
通話路スイッチ１２は、ボタン電話主装置１０内の交換処理（外線と内線の接続他）を行う。
【００２０】
外線回路１３−１〜１３−ｎは、外線に接続されるインタフェース回路である。
【００２１】
内線回路１４−１〜１４−ｎは、ボタン電話機２０−１〜２０−ｎと音声データ、制御データの通信を行うためのインタフェース回路である。
【００２２】
発番号受信部１５は、発番号を受信する回路で、通話路スイッチ１２経由で外線回路１３に接続され、外線回路１３からの発番号情報受信結果は中央制御部１１に受け渡し後、記憶部１６に記憶される。尚、発番号受信部１５はアナログ回線の場合に使用し、ＩＳＤＮ回線やＩＰ（Ｉｎｔｅｒｎｅｔ  Ｐｒｏｔｏｃｏｌ）回線の場合、発番号受信部１５は不要である。
【００２３】
記憶部１６は、通常の記憶部としての働きの他に、着信時の発番号受信結果や外線回路１３の状態、ボタン電話機２０の状態、等が一時記憶される。また、ボタン電話機から操作した設定データ情報も記憶される。
【００２４】
ボタン電話機２０は、制御部２１と、データ送受信回路２２と、音声処理部２３と、送受話器２４と、スピーカ２５と、ダイヤルキー２６と、外線キー２７と、機能キー２８と、表示器２９を有して構成される。
【００２５】
制御部２１は、ボタン電話機２０内の各回路からの入力情報に対する解析や判断、各回路の制御を行う。
【００２６】
データ送受信回路２２は、内線を介してボタン電話主装置１０と音声データ、制御データの通信を行うためのインタフェース回路である。
【００２７】
音声処理部２３は、音声のデジタル／アナログ変換、アナログ／デジタル変換と、ボタン電話機２０内の送受話器２４やスピーカ２５等との通話路切替および音量を制御する。
【００２８】
送受話器２４は、一般的な通話時の送話、受話を行うためのハンドセットである。
【００２９】
スピーカ２５は、着信音の送出やスピーカによる拡声受話に使用する。尚、本発明では優先着信時は通常とは異なる音色や断続による鳴動パターンの着信音、またはメロディ等を送出することも可能である。
【００３０】
ダイヤルキー２６は、電話番号を入力する手段であり、また、各種設定の入力手段としても用いられる。
【００３１】
外線キー２７は、複数ある外線から使用したい外線を選択するときに使用し、着信状態等を表示するための外線ランプも具備した複数のボタンである。
【００３２】
機能キー２８は、ボタン電話装置で一般的に使用する“保留”ボタン、“再発信”ボタン、“設定”ボタン、等により構成される（各ボタンは図示していない）。なお、本実施例では、着信優先有無を設定するための専用の機能キーや、“設定”ボタンとダイヤルキー２６の複合操作により、優先着信対象特定番号等のデータ設定を行うときに使用する。
【００３３】
表示器２９は、着信時の発番号や発信先電話番号、通話時間、等を表示する。
【００３４】
次に、本発明に係るボタン電話主装置１０の中央制御部１１と記憶部１６の機能構成を、図１及び図２を用いて説明する。中央制御部１１は、少なくとも、外線回路制御手段Ｆ３０と、発番号受信手段Ｆ３１と、通話路制御手段Ｆ３２と、特定番号分析処理手段Ｆ３３と、着信状態表示処理手段Ｆ３４と、データ送受信手段Ｆ３５と、受信分析手段Ｆ３６と、移行制御手段Ｆ３７とを有し、記憶部１６に一時記憶手段Ｆ３９と設定データ記憶手段Ｆ４０を有して構成される。尚、中央制御部１１の電話機毎優先着信分析処理手段Ｆ３８は、第２の発明において、内線電話機毎に優先着信の有無を分析する場合、または、第３の発明において、優先着信対象特定番号毎に優先着信を適用する内線電話機を分析する場合に使用する。
【００３５】
外線回路制御手段Ｆ３０は外線発信、外線着信の制御を行う機能を有している。例えば、外線回路１３が着信状態になると外線回路制御手段Ｆ３０は該外線が着信中であることを一時記憶手段Ｆ３９経由で記憶部１６に記憶する。
【００３６】
発番号受信手段Ｆ３１は、外線回路１３が着信状態になると移行制御手段Ｆ３７からの指示により発番号受信部１５に対して発番号受信の指示を行い、発番号受信部１５が受信した発番号情報を一時記憶手段Ｆ３９経由で記憶部１６に記憶する機能を有している。尚、発番号受信部１５はアナログ回線の場合にのみ使用し、ＩＳＤＮ回線やＩＰ（Ｉｎｔｅｒｎｅｔ  Ｐｒｏｔｏｃｏｌ）回線の場合は、発番号受信部１５を使用せずに外線回路制御手段Ｆ３０から発番号情報を取得し、一次記憶手段Ｆ３９経由で記憶部１６に記憶する。
【００３７】
通話路制御手段Ｆ３２は、移行制御手段Ｆ３７からの通知内容により、外線回路１３と各回路との接続や開放の指示を通話路スイッチ１２へ出す機能を有している。
【００３８】
特定番号分析処理手段Ｆ３３は、設定データ記憶手段Ｆ４０により記憶部１６に事前設定されている優先着信対象特定番号と上記発番号情報との照合を行う機能を有している。
【００３９】
着信状態表示処理手段Ｆ３４は、特定番号分析処理手段Ｆ３３の分析結果により、電話機毎に着信表示すべき発番号（場合によっては発信者名称を含む）や着信音の鳴動パターンまたはメロディを決定し、着信状態表示情報をデータ送受信手段Ｆ３５に受け渡す機能、及び各電話機が着信表示している外線を一時記憶手段Ｆ３９経由で記憶部に記憶する機能を有している。
【００４０】
データ送受信手段Ｆ３５は、ボタン電話機２０より内線回路１４を経由して受信したデータを受信分析手段Ｆ３６へ通知する機能、及び移行制御手段Ｆ３７や着信状態表示処理手段Ｆ３４からの情報をボタン電話機２０に対して送信する機能を有している。例えば、外線着信時は着信状態表示処理手段Ｆ３４から通知された着信音情報や発番号（場合によっては発信者名称を含む）情報等をボタン電話機２０に対して送信し、ボタン電話機２０内の制御部２１は、音声処理部２３をスピーカに接続しスピーカ２５より着信音を鳴動させたり、表示器２９に発番号等を表示することが可能となる。
【００４１】
受信分析手段Ｆ３６は、データ送受信手段Ｆ３５より通知されたボタン電話機２０からのオフフック情報、外線キー押下情報、設定データ情報、機能キー操作情報、等の受信データを分析し、情報の内容によって一時記憶手段Ｆ３９または設定データ記憶手段Ｆ４０により各情報を記憶部１６に記憶する機能を有している。
【００４２】
移行制御手段Ｆ３７は、一時記憶手段Ｆ３９により記憶された外線状態、電話機状態、等を確認し、外線回路制御手段Ｆ３０、発番号受信手段Ｆ３１、通話路制御手段Ｆ３２、特定番号分析処理手段Ｆ３３、データ送受信手段Ｆ３５に対して動作移行の通知を行う機能を有している。
【００４３】
電話機毎優先着信分析処理手段Ｆ３８は、第２の発明である内線電話機毎に優先着信の有無を設定可能とする場合に使用し、特定番号分析処理手段Ｆ３３の分析結果として発番号が優先着信対象特定番号に一致する場合でも、電話機毎優先着信表示有無の分析を行い、優先着信有無を着信状態表示処理手段Ｆ３４に受け渡す。
【００４４】
また、電話機毎優先着信分析処理手段Ｆ３８は、第３の発明である優先着信対象特定番号毎に優先着信を適用する内線電話機の設定を行う場合に使用し、特定番号分析処理手段Ｆ３３の分析結果として発番号が優先着信対象特定番号に一致する場合、電話機毎に該優先着信対象特定番号は優先着信対象になっているかの分析を行い、優先着信有無を着信状態表示処理手段Ｆ３４に受け渡す。
【００４５】
一時記憶手段Ｆ３９は、発番号情報、外線状態、電話機状態、等を記憶部１６に一時的に記憶する機能を有している。尚、一時的に記憶したデータは、外線や電話機の状態が変化した場合に外線回路制御手段Ｆ３０、着信状態表示処理手段Ｆ３４、受信分析手段Ｆ３６からの情報で消去または変化する。
【００４６】
設定データ記憶手段Ｆ４０は、優先着信対象特定番号と優先着信時着信音の鳴動パターンまたはメロディ、電話機毎の優先着信の有無、優先着信対象特定番号毎の優先着信を適用する電話機、時間帯や曜日等の優先着信を有効とする条件、及びその他のシステム運用データを記憶する機能を有している。上記着信優先を行う優先着信対象特定番号を設定する際、優先着信の有無を設定するだけでなく、優先順位を設定しても良い。また、上記優先着信を行う優先着信対象特定番号を設定する際、電話番号を直接登録せずにシステムの電話帳を登録する際の電話帳グループを利用し、電話帳グループ単位で優先着信対象特定番号として設定しても良い。また、上記優先着信対象特定番号毎の優先着信を適用する電話機を設定する際、電話機毎の設定でなく電話機が所属する内線グループやテナント単位で設定しても良い。更に、電話機毎またはグループ毎に優先着信を有効とする条件を設定しても良い。
【００４７】
設定データ記憶手段Ｆ４０で記憶されるシステム運用データは、通常、ボタン電話機２０の機能キー２８やダイヤルキー２６等の操作の組み合わせにより登録することができ、ボタン電話機２０から送出された情報を受信分析手段Ｆ３６によって設定データ情報であると分析した後に設定データ記憶手段Ｆ４０により記憶部１６に記憶されるが、ボタン電話機２０からの登録以外にもパソコンによる設定、遠隔にて電話回線等を経由した設定等も可能であり、登録手段は特に限定しない。
【００４８】
本発明の場合、設定データ記憶手段Ｆ４０で記憶されるシステム運用データは、一時記憶手段Ｆ３９により記憶されたデータとの照合用として特定番号分析処理手段Ｆ３３が使用したり、第２の発明または第３の発明にて電話機毎優先着信分析処理手段Ｆ３８が優先着信を実行するための判定データとして使用する。尚、設定データ記憶手段Ｆ４０により記憶されたデータは、受信分析手段Ｆ３６からの新たな設定指示により消去や更新が行われる。
【００４９】
次に、上記実施の形態におけるボタン電話主装置１０側の着信表示処理の流れについて、図１、図２及び図３を用いて説明する。外線に着信があると、発番号受信処理（Ｓ５１）が実行され、発番号情報は一時記憶手段Ｆ３９により記憶部１６に記憶される。
【００５０】
発番号受信処理（Ｓ５１）が完了すると、特定番号分析処理手段Ｆ３３は、上記発番号情報と事前に設定データ記憶手段Ｆ４０により記憶部１６に記憶された優先着信対象特定番号と一致しているかの照合を行う（Ｓ５２）。
【００５１】
ステップＳ５２の照合結果が不一致の場合、着信状態表示処理手段Ｆ３４は一時記憶手段Ｆ３９により記憶部１６に記憶された電話機状態をチェックし、既に着信表示中かを分析する（Ｓ５３）。
【００５２】
ステップＳ５３の分析結果が着信表示中の場合はこれまでの着信を継続とし、着信状態表示処理手段は電話機に対して外線ランプ以外の着信状態情報は送信しない（Ｓ５４）。一方、ステップＳ５３の分析結果が着信表示中でない場合は、着信状態表示処理手段Ｆ３４は電話機に対して新たな着信表示開始処理を行い、着信音情報や発番号情報等を電話機２０に対して送信する（Ｓ５５）。
【００５３】
ステップＳ５２の照合結果が一致の場合、着信状態表示処理手段Ｆ３４は一時記憶手段Ｆ３９により記憶部１６に記憶された電話機状態をチェックし、既に着信表示中かを分析する（Ｓ５８）。
【００５４】
尚、第２の発明である内線電話機毎に優先着信有無を設定可能とした場合、ステップＳ５８を実行する前に、電話機毎優先着信分析処理手段Ｆ３８は、事前に設定データ記憶手段Ｆ４０により記憶部１６に記憶された電話機毎優先着信有無を確認し、電話機毎に優先着信可否を分析する（Ｓ５６）。優先着信が不可の場合は、優先着信対象特定番号であってもステップＳ５２の優先着信対象特定番号不一致と同等処理としステップＳ５３に移行する。優先着信が可能な場合は、ステップＳ５８に移行する（Ｓ５７）。
【００５５】
また、第３の発明である優先着信対象特定番号毎に優先着信を適用する電話機の設定を可能とした場合、ステップＳ５８を実行する前に、電話機毎優先着信分析処理手段Ｆ３８は、事前に設定データ記憶手段Ｆ４８により記憶部１６に記憶された優先着信対象特定番号毎の優先着信適用電話機を確認し、該優先着信対象特定番号に対して優先着信を適用するかを分析する（Ｓ５６）。優先着信を適用しない電話機の場合は、優先着信対象特定番号であってもステップＳ５２の優先着信対象特定番号不一致と同等処理としステップＳ５３に移行する。優先着信を適用する場合は、ステップＳ５８に移行する（Ｓ５７）。
【００５６】
ステップＳ５８の分析結果が着信表示中でない場合、着信状態表示処理手段Ｆ３４は電話機に対して新たな着信表示開始処理を行い、着信音情報や発番号情報等を電話機２０に対して送信する（Ｓ５９）。一方、着信表示中の場合はステップＳ６０に移行する。
【００５７】
ステップＳ６０にて、着信状態表示処理手段Ｆ３４は既に着信表示中の相手が優先着信対象特定番号か否かを分析し、優先着信対象特定番号の場合はこれまでの着信を継続とし、着信状態表示処理手段Ｆ３４は電話機に対して外線ランプ以外の着信状態情報は送信しない（Ｓ６１）。優先着信対象特定番号以外の場合、着信状態表示処理手段Ｆ３４はこれまでの着信を一旦停止し（Ｓ６２）、着信状態表示処理手段Ｆ３４は電話機に対して優先着信対象特定番号の着信表示開始処理を行い、着信音情報や発番号情報等を電話機２０に対して送信する（Ｓ６３）。
【００５８】
着信表示中に他の電話機が応答した場合または発信者が終話した場合は、該外線の着信表示停止処理が行われる（Ｓ６４）。
【００５９】
着信表示停止処理（Ｓ６４）の後、移行制御手段Ｆ３７は一時記憶手段Ｆ３９により記憶部１６に記憶された外線状態を確認し、着信中外線がない場合は処理を終了する。着信中外線がある場合は、ステップＳ５２に戻り、特定番号分析処理手段Ｆ３３は、該外線の発番号情報と事前に設定データ記憶手段Ｆ４０により記憶された優先着信対象特定番号と一致しているかの照合を行う。
【００６０】
次に、上記実施の形態における優先着信表示中に電話機側が操作したときのボタン電話主装置１０側の電話機応答処理の流れについて、図１、図２及び図４を用いて説明する。優先着信中はボタン電話機２０の表示器２９に優先着信対象特定番号の発番号、名称等を表示する（Ｓ７１）。
【００６１】
ステップＳ７１の状態にて電話機がオフフック操作すると（Ｓ７２のＹｅｓ）、優先着信に対する着信応答処理が実行される（Ｓ７３）。
【００６２】
ステップＳ７１の状態にて電話機はオフフック操作を行わず（Ｓ７２のＮｏ）、他の着信中外線キーを押下すると（Ｓ７４）、ボタン電話機２０からのキー押下情報は受信分析手段Ｆ３６経由で一時記憶手段Ｆ３９により記憶部１６に記憶される。また、着信状態表示制御手段Ｆ３４は記憶部１６を確認し該電話機が着信中外線キー（優先着信中の外線キーでも良い）を押下したと判断すると、該外線に着信中の発番号情報等を電話機２０に対して送信し、ボタン電話機２０の表示器２９に押下外線キーに着信中の発番号、名称等を表示する（Ｓ７５）。尚、本実施例では外線キー押下を例に説明しているが、外線キーの変わりに着信中の内線キーを押下した場合、内線着信中の相手の発番号、名称等の表示を可能にしても良い。
【００６３】
押下外線キーに着信中の発番号、名称等を表示中に電話機がオフフック操作すると（Ｓ７６）、押下外線キーに対応した外線の着信応答処理が実行される（Ｓ７７）。
【００６４】
尚、押下外線キーに着信中の発番号、名称等の表示は一定時間継続し、表示している間にオフフック操作が行われないとステップＳ７１の優先着信対象特定番号の発番号、名称等の表示に戻る。
【図面の簡単な説明】
【００６５】
【図１】本発明に係るボタン電話主装置１０と、ボタン電話機２０の構成概略図。
【図２】本発明に係る中央制御部１１と、記憶部１６の機能ブロック図。
【図３】本発明に係るボタン電話主装置１０の中央制御部１１内の着信表示処理に関するフローチャート。
【図４】本発明に係るボタン電話主装置１０の中央制御部１１内の電話機応答処理に関するフローチャート。
【符号の説明】
【００６６】
１０  ボタン電話主装置
１１  中央制御部
１２  通話路スイッチ
１３  外線回路
１４  内線回路  
１５  発番号受信部
１６  記憶部
２０  ボタン電話機
２１  制御部
２２  データ送受信回路
２３  音声処理部
２４  送受話器
２５  スピーカ
２６  ダイヤルキー
２７  外線キー
２８  機能キー
２９  表示器
Ｆ３０  外線回路制御手段
Ｆ３１  発番号受信手段
Ｆ３２  通話路制御手段
Ｆ３３  特定番号分析処理手段
Ｆ３４  着信状態表示処理手段
Ｆ３５  データ送受信手段
Ｆ３６  受信分析手段
Ｆ３７  移行制御手段
Ｆ３８  電話機毎優先着信分析処理手段
Ｆ３９  一時記憶手段
Ｆ４０  設定データ記憶手段
【図１】
2007142760.tif 000003
【図２】
2007142760.tif 000004
【図３】
2007142760.tif 000005
【図４】
2007142760.tif 000006